(57)【要約】【課題】  蟻などの害虫が餌容器Ａ内の餌に到達するのを防止すると共に、簡便、衛生的でかつ、簡単に転倒しない犬、猫などの餌容器Ａを提供する。  【解決手段】  餌容器Ａは、餌収容部１、塩分濃度０．０３５％以上の塩水Ｓを貯溜する塩水貯水部２及び餌収容部１と塩水貯水部２とを連接する立ち上がり部３が一体的に製作され、立ち上がり部３の高さｈは、餌容器Ａ全体の高さＨの約三分の二以上の高さとし、かつ塩水貯水部２の外周壁２ａは裾拡がり状としている。【選択図】図１
0003105878.tif 000002
【実用新案登録請求の範囲】
【請求項１】
底部を浅底とすると共に、前記底部より延設される外周縁を外拡がり状に開口してなる餌収容部と、
前記餌収容部の下方に形成された、塩水を貯溜する塩水貯水部と、
前記餌収容部と塩水貯水部を連接する立ち上がり部と、
を、同一素材で一体的に製作されたことを特徴とする、害虫などの侵入を防止する犬、猫などの給餌容器。
【請求項２】
前記塩水貯水部に貯溜される塩水の塩分濃度が、少なくとも０．０３５％以上であることを特徴とする、請求項１記載の害虫などの侵入を防止する犬、猫などの給餌容器。
【請求項３】
前記塩水貯水部を立ち上がり部の底部又は中途部位に形成することを特徴とする、請求項１ないし請求項２記載の害虫などの侵入を防止する犬、猫などの給餌容器。
【請求項４】
前記立ち上がり部の底部外周壁の形状が、正面視裾拡がり状となっていると共に、立ち上がり部の底部外径を、前記餌収容部の外径よりも大としていることを特徴とする、請求項１ないし請求項３記載の害虫などの侵入を防止する犬、猫などの給餌容器。
【請求項５】
前記立ち上がり部の高さ寸法は、餌収容部を含む容器全体の高さ寸法の約三分の二以上であることを特徴とする、請求項１ないし請求項４記載の害虫などの侵入を防止する犬、猫などの給餌容器。
【請求項６】
前記餌収容部、塩水貯水部及び立ち上がり部を構成する素材が、金属、硬質合成樹脂、セラミックス又は木材であることを特徴とする、請求項１ないし請求項５記載の害虫などの侵入を防止する犬、猫などの給餌容器。
【考案の詳細な説明】
【技術分野】
【０００１】
本考案は、害虫などの侵入を防止する犬、猫などの給餌容器に関する。
【背景技術】
【０００２】
従来、屋内外で設置される犬、猫などのペット用給餌容器としては、浅底の皿又は椀状容器などが一般的であったが、浅底皿又は椀状容器などに収容された餌に誘引されて、蟻、なめくじ、百足又はごきぶりなどが集まってこれを食するために、特に屋外ではペット小屋又は給餌容器の設置周辺に害虫駆除剤を撒布したりするので、犬、猫などのペットは、これらの給餌容器にちかづくのを敬遠しがちとなり、食欲が減退しひいては、その健康を損なったり、また給餌容器が汚れるため非衛生的となっている。  
【０００３】
上記した蟻などの害虫による弊害を解消するために、犬、猫などの給餌容器に関して各種の提案が開示されている。例えば特開平９−１５４４２９、実登３０７６７３９などであり、特開平９−１５４４２９は、内周壁と内周壁を包囲する外周壁から成る二重構造とし、内周壁の内部に食物を貯溜し、内周壁と外周壁の間の環状の溝に水を貯溜する構成としている。また実登３０７６７３９は、えさ皿の縁を二重にし、その間に水をいれる構造となっている。
【特許文献１】特開平９−１５４４２号公報
【特許文献２】実登第３０７６７３９号公報
【考案の開示】
【考案が解決しようとする課題】
【０００４】
特許文献１及び特許文献２はいずれも、蟻などの害虫が食器内の餌に到達するのを防ぐための手段として、環状の溝又は二重としたえさ皿の縁の間に水を入れるようにしている。  
【０００５】
しかしながら本考案者が、知見したところ蟻などは水を泳ぐことができ、目的の餌に到達することが判明した。夏期など外気温が高くなると水分は短時間で蒸発してしまい、また、水を溝に入れても、犬、猫などが飲んでしまい、本来の目的は達成できない。
【０００６】
本考案の目的は、上記の特許文献１及び特許文献２などの問題点を解決し、蟻などの害虫が給餌容器内の餌に到達するのを防止すると共に、簡便、衛生的でかつ、簡単に転倒しない犬、猫などの給餌容器を提供することにある。
【課題を解決するための手段】
【０００７】
本考案者が各種の実験などを試み、鋭意検討した結果、上記の課題を解決するための第１の考案は、底部を浅底とすると共に、前記底部より延設される外周縁を外拡がり状に開口してなる餌収容部と、前記餌収容部の下方に形成された、塩水を貯溜する塩水貯水部と、前記餌収容部と塩水貯水部を連接する立ち上がり部とを、同一素材で一体的に製作されたことを特徴としている。
【０００８】
第２の考案は、請求項１記載の害虫などの侵入を防止する犬、猫などの給餌容器において、前記塩水貯水部に貯溜される塩水の塩分濃度が、少なくとも０．０３５％以上であることを特徴としている。
【０００９】
第３の考案は、請求項１ないし請求項２記載の害虫などの侵入を防止する犬、猫などの給餌容器において、前記塩水貯水部を立ち上がり部の底部又は中途部位に形成することを特徴としている。
【００１０】
第４の考案は、請求項１ないし請求項３記載の害虫などの侵入を防止する犬、猫などの給餌容器において、前記立ち上がり部の底部外周壁の形状が、正面視裾拡がり状となっていると共に、立ち上がり部の底部外径を、前記餌収容部の外径よりも大としていることを特徴としている。
【００１１】
第５の考案は、請求項１ないし請求項４記載の害虫などの侵入を防止する犬、猫などの給餌容器において、前記立ち上がり部の高さ寸法は、餌収容部を含む容器全体の高さ寸法の約三分の二以上であることを特徴としている。
【００１２】
第６の考案は、請求項１ないし請求項５記載の害虫などの侵入を防止する犬、猫などの給餌容器において、前記餌収容部、塩水貯水部及び立ち上がり部を構成する素材が、金属、硬質合成樹脂、セラミックス又は木材であることを特徴としている。
【考案の効果】
【００１３】
本考案に係る、害虫などの侵入を防止する犬、猫などの給餌容器は、上記の構成になるから以下の効果を奏する。即ち、第１の考案ないし第３の考案によれば、餌収容部は、底部を浅底とすると共に、前記底部より延設された外周縁を外拡がり状に開口しているので犬、猫などが餌を食するのに好都合であり、かつ食べ残した餌の処分や清掃が容易でありまた、餌収容部、塩水貯水部及び立ち上がり部を同一素材で一体的に製作され、塩分濃度を、少なくとも０．０３５％以上とした塩水が貯溜されている塩水貯水部を、立ち上がり部の底部又は中途部位に形成してなるから、蟻、なめくじ、百足又はごきぶりなどの害虫は、塩水を忌避するために餌収容部まで到達できないのみならず、夏期などにおいて水分が蒸発しても塩水貯水部の底には塩が残留しているので、蟻などの害虫は、これも忌避するので給餌容器から離散することになり、たとえ塩水貯水部を渡ったとしても、立ち上がり部が略垂直状に形成されているので、餌収容部まで這い上がるのは至難で、立ち上がり部の中途で転落することになる。また犬、猫などが塩水を飲もうとしても顔面（鼻、頬部など）が、餌収容部の外周縁や立ち上がり部の外周壁に当接するので飲むことができない、さらに害虫駆除剤などを散布する必要もないので、犬、猫などのペット類の健康を損なうことがない。
【００１４】
第４の考案ないし第５の考案によれば、立ち上がり部の底部外壁形状が正面視裾拡がり状とされ、かつ立ち上がり部の高さ寸法は、餌収容部を含む容器全体の高さ寸法の約三分の二以上としているので、給餌容器は安定よく設置されており、犬、猫などが餌を食したり、体の一部が接触しても簡単に転倒し破損することがない。また給餌容器の清掃作業においても、給餌容器を立設した状態で水道水などをホースを使って上方より放水洗浄するだけで、給餌容器を容易に清潔にできる。
【００１５】
第６の考案によれば、餌収容部、塩水貯水部及び立ち上がり部を構成する素材が、金属、硬質合成樹脂、セラミックス又は木材などの単一素材でシンプルな構造としているので、一度に多量の製作が可能であるために、販売価格を安価にすることができる。
【考案を実施するための最良の形態】
【００１６】
以下、本考案に係る、害虫などの侵入を防止する犬、猫などの給餌容器（以下、餌容器Ａという）の好適な実施形態について図面を参照しながら説明する。図１は、餌容器Ａの斜視図で、図２は図１の中央縦断面図、図３は他の実施例である餌容器Ａ’の斜視図で、図４は図３の中央縦断面図である。
【００１７】
図１及び図２において、１は餌収容部で、２は塩水Ｓを貯溜する塩水貯水部で、３は
餌収容部１と塩水貯水部２とを連接する立ち上がり部で、その高さｈは、図２に示すように餌容器Ａ全体の高さＨの約三分の二以上の高さとし、かつ塩水貯水部２の外周壁２ａは裾拡がり状としている。
【００１８】
また  図１及び図２に示すように餌収容部１の外周縁１ａは外拡がり状に形成され、かつその外周縁１ａの外径ｄより塩水貯水部２の外径寸法Ｄは、大としている。具体的には例えば、餌収容部１の外径ｄを約２０ｃｍ〜３０ｃｍとすれば、塩水貯水部２の外径寸法Ｄは、約２６ｃｍ〜４０ｃｍに設定し、餌容器Ａの高さＨは、約１０ｃｍ〜２０ｃｍとされ、塩水貯水部２の巾径は、約３ｃｍ〜５ｃｍとされる。
【００１９】
塩水貯水部２に貯溜される塩水Ｓは、少なくとも０．０３５％以上が好ましい。この数値は、本考案者が鋭意検討して知見した数値で、蟻、なめくじ、百足又はごきぶりなどの害虫が忌避する塩分濃度で、海水の通常の濃度とされるもので、海水が最適であるが海水がないときは、塩水貯水部２に適量の水道水を貯溜し、これに市販の食塩を数ｇを投入し、指先などで撹拌して塩水貯水部２内の塩分濃度をほぼ均一化した後、餌収容部１内にペットフードＰなどを収容すれば、床面又は地面Ｆ．Ｌを徘徊する蟻その他の害虫は、塩水貯水部２の塩水Ｓにより餌収容部１内に到達できない。
【００２０】
餌容器Ａに適する製作素材としては、金属ではアルミ、鋳造物、硬質合成樹脂ではＦＲＰ、セラミックスでは抗菌セラミックス、木材では楠、樫、桜などが挙げられ、これらの素材から選択される。  
【００２１】
図３及び図４は、本考案に係る、他の実施例である餌容器Ａ’を示し、１０は餌収容部で、２０は塩水Ｓを貯溜する塩水貯水部で、３０は餌収容部１０と塩水貯水部２０とを連接する立ち上がり部で、図３及び図４に示すように餌収容部１０の外周縁１０ａは外拡がり状に形成され、塩水貯水部２０は、立ち上がり部３０の中途部位に設けられ、その外周壁２０ａは裾拡がり状となり、内壁２０ｂは外方に向けて反り面を形成している。また立ち上がり部３０の高さｈ’は、餌容器Ａ’の高さＨ’の約三分の二以上の高さとし、さらに図４に示すように、餌収容部１０の外周縁１０ａの外径ｄ’より塩水貯水部２０の外径寸法Ｄ’は、大としている。
【００２２】
蟻などの害虫が、塩水貯水部２０の外周壁２０ａを這い上がっても、塩水Ｓがあるので餌収容部１０には到達できないし、たとえ塩水貯水部２０を渡ったとしても、その内壁２０ｂは外方に向けて反り面を形成しているので、蟻などは下方に転落する。
【産業上の利用可能性】
【００２３】
本考案は、犬、猫などのペット飼育者が抱えている餌容器についての問題を解消することにより、ペット飼育者が増加する要因ともなるので犬、猫などのペット業界、ペットフード業界はもちろん、餌容器を含むペット用器具などのメーカー、ディーラーその他関連業界の活性化につながる可能性は大といえる。
【図面の簡単な説明】
【００２４】
【図１】本考案に係る、害虫などの侵入を防止する犬、猫などの給餌容器の斜視図である。
【図２】同上図１の中央縦断面図である。
【図３】本考案に係る、他の実施例である給餌容器の斜視図である。
【図４】同上図３の中央縦断面図である。
【符号の説明】
【００２５】
Ａ、Ａ’            給餌容器
Ｓ、Ｓ’            塩水
Ｐ、Ｐ’            ペットフード
Ｆ．Ｌ              床面又は地面
Ｈ、Ｈ’            給餌容器全体の高さ
ｈ、ｈ’            立ち上がり部の高さ
Ｄ、Ｄ’            塩水貯水部の外径
ｄ、ｄ’            餌収容部の外径
１                  餌収容部
１ａ、１０ａ        外周縁
２                  塩水貯水部
２ａ                外周壁
３                  立ち上がり部
１０                餌収容部
２０                塩水貯水部
２０ａ              外周壁
２０ｂ              内壁
３０                立ち上がり部
【図１】
0003105878.tif 000003
【図２】
0003105878.tif 000004
【図３】
0003105878.tif 000005
【図４】
0003105878.tif 000006